(57)【特許請求の範囲】
【請求項１】
ディジタル放送の番組を特定できる情報である番組固有情報と、特定の時間帯を示す蓄積可能時間帯情報と、前記番組に関する付加情報と、前記番組固有情報の蓄積状態を照会するのに用いる蓄積状態照会用データとが、前記番組の番組データに多重化されて送信されてくる多重化データを受信する受信手段と、
視聴者からの視聴確認信号の入力を受け付ける視聴確認信号受付手段と、
前記蓄積可能時間帯情報にしたがって、前記特定の時間帯に前記視聴者に前記視聴確認信号の入力が可能であることを通知する蓄積可能時間帯通知手段と、
前記視聴確認信号受付手段が前記特定の時間帯に前記視聴確認信号の入力を受け付けた場合に、前記番組固有情報を蓄積する番組固有情報蓄積手段と、
前記蓄積された番組固有情報にしたがって、前記視聴者に対して前記付加情報を提供する付加情報提供手段とを備え、
前記受信する番組固有情報は、前記番組固有情報に対応する前記番組より後に放映される別の番組の放送日時に関するデータが含まれており、
前記付加情報提供手段は、前記番組固有情報の蓄積状態が前記蓄積状態照会用データの示す内容と一致している場合に、前記視聴者に対して前記付加情報を提供し、
前記番組固有情報の蓄積状態が前記蓄積状態照会用データの示す内容と一致していない場合に、不足する番組固有情報に対応する番組より後に放映される別の番組の放送日時に関するデータを前記視聴者に提供する
ことを特徴とするディジタル放送用受信装置。
【請求項２】
前記蓄積状態照会用データは、複数の番組固有情報が取得されたときに付加情報を提供する条件の情報が含まれており、
前記付加情報提供手段は、過去に放送された番組に対応する番組固有情報の不足により、前記番組固有情報の蓄積状態が前記蓄積状態照会用データの前記条件を満足できないときに、不足する番組固有情報に対応する番組より後に放映される別の番組の放送日時に関するデータを前記視聴者に提供する
ことを特徴とする請求項１記載のディジタル放送用受信装置。
【発明の詳細な説明】
【０００１】
【発明の属する技術分野】
本発明は、ディジタル放送用受信装置に関するものである。
【０００２】
【従来の技術】
近年、研究開発が進んでいるディジタル放送システムでは、現行の標準テレビジョン信号やハイビジョン信号に相当する映像や音声の主情報に加え、画像、図形、文字、さらにはソフトウェアやデータなどの付加情報をそれぞれディジタル化し、それらを多重化して送信する。受信機側では、受信信号から主情報と付加情報を分離し、記憶されている付加情報に基づく様々な機能やサービスの付加が提案されている。例えば、特開平９−６５２９９号公報に記載の発明においては、付加情報として番組識別情報を送信し、受信機側では、受信した番組識別情報をメモリに記憶し、放送局や調査会社の要求によりその情報をモデム等を介して送信することにより、各番組の視聴率が算出できる。また、特開平９−１４９３８７号公報に記載の発明においては、番組に関連したコンピュータのプログラムデータを付加情報として送信し、受信機側で受信信号から分離記憶されたプログラムデータを、受信機に接続されたパソコンで実行させることが開示されている。
【０００３】
【発明が解決しようとする課題】
しかしながら、上記の送信および受信装置では、付加情報は自動的に受信機内部に記憶され、また、付加情報とそれに基づく処理が１対１でしか考慮されていないため、例えば、同じ放送局の同じ時間帯の番組や、同じスポンサーのＣＭなどを積極的に繰り返し見ているような視聴者に対しては、放送局やスポンサーから特典（プレゼントの宛先など特別な付加情報の蓄積）が与えられるような、さらに高付加価値なディジタル放送システムを実現することは困難であった。
【０００４】
本発明は、上述した従来のディジタル放送システムが有する課題を考慮し、視聴者の視聴状況を効率的に認識できるディジタル放送用受信装置を提供することを目的とする。
【０００６】
【課題を解決するための手段】
上述した課題を解決するために、第１の本発明は、ディジタル放送の番組を特定できる情報である番組固有情報と、特定の時間帯を示す蓄積可能時間帯情報と、前記番組に関する付加情報と、前記番組固有情報の蓄積状態を照会するのに用いる蓄積状態照会用データとが、前記番組の番組データに多重化されて送信されてくる多重化データを受信する受信手段と、
視聴者からの視聴確認信号の入力を受け付ける視聴確認信号受付手段と、
前記蓄積可能時間帯情報にしたがって、前記特定の時間帯に前記視聴者に前記視聴確認信号の入力が可能であることを通知する蓄積可能時間帯通知手段と、
前記視聴確認信号受付手段が前記特定の時間帯に前記視聴確認信号の入力を受け付けた場合に、前記番組固有情報を蓄積する番組固有情報蓄積手段と、
前記蓄積された番組固有情報にしたがって、前記視聴者に対して前記付加情報を提供する付加情報提供手段とを備え、
前記受信する番組固有情報は、前記番組固有情報に対応する前記番組より後に放映される別の番組の放送日時に関するデータが含まれており、
前記付加情報提供手段は、前記番組固有情報の蓄積状態が前記蓄積状態照会用データの示す内容と一致している場合に、前記視聴者に対して前記付加情報を提供し、
前記番組固有情報の蓄積状態が前記蓄積状態照会用データの示す内容と一致していない場合に、不足する番組固有情報に対応する番組より後に放映される別の番組の放送日時に関するデータを前記視聴者に提供する
ことを特徴とするディジタル放送用受信装置である。
また、第２の本発明は、前記蓄積状態照会用データは、複数の番組固有情報が取得されたときに付加情報を提供する条件の情報が含まれており、
前記付加情報提供手段は、過去に放送された番組に対応する番組固有情報の不足により、前記番組固有情報の蓄積状態が前記蓄積状態照会用データの前記条件を満足できないときに、不足する番組固有情報に対応する番組より後に放映される別の番組の放送日時に関するデータを前記視聴者に提供する
ことを特徴とする上記第１の本発明のディジタル放送用受信装置である。
尚、本発明に関連する技術の発明は以下の通りである。
第１の関連発明は、ディジタル放送の放映中の特定の時間帯に、視聴者による視聴確認信号の入力があったときに、前記視聴者が視聴していることを認識することを特徴とするディジタル放送用視聴認識方法である。
また、第２の関連発明は、前記特定の時間帯は、前記ディジタル放送の送信側または受信側において、前記視聴者に予め知られないように設定されることを特徴とする第１の関連発明のディジタル放送用視聴認識方法である。
また、第３の関連発明は、前記特定の時間帯は、前記ディジタル放送の番組毎に設定されており、前記視聴確認信号の入力があったときには、それに対応する番組を視聴していることを示す視聴履歴を蓄積することを特徴とする第１または２の関連発明のディジタル放送用視聴認識方法である。
また、第４の関連発明は、前記番組それぞれに対応する前記視聴履歴の組合せにしたがって、前記視聴者の視聴状況を判定することを特徴とする第３の関連発明のディジタル放送用視聴認識方法である。
また、第５の関連発明は、前記視聴者は、前記蓄積された視聴履歴に応じて、付加情報を利用できることを特徴とする第１〜４の関連発明のいずれかのディジタル放送用視聴認識方法である。
また、第６の関連発明は、前記付加情報は、前記ディジタル放送の放送データとともに送信されることを特徴とする第５の関連発明のディジタル放送用視聴認識方法である。
また、第７の関連発明は、ディジタル放送の番組を特定できる情報である番組固有情報を、前記番組の番組データに多重化して送信するディジタル放送用送信装置であって、
前記番組固有情報は、前記番組中の特定の時間帯に視聴者による視聴確認信号の入力があったときに受信側に蓄積されるものであることを特徴とするディジタル放送用送信装置である。
また、第８の関連発明は、ディジタル放送の番組を特定できる情報である番組固有情報が、前記番組の番組データに多重化されて送信されてくる多重化データを受信する受信手段と、
前記視聴者からの前記視聴確認信号の入力を受け付ける視聴確認信号受付手段と、
前記視聴確認信号受付手段が前記特定の時間帯に前記視聴確認信号の入力を受け付けた場合に、前記番組固有情報を蓄積する番組固有情報蓄積手段と、
前記蓄積された番組固有情報にしたがって、前記視聴者に対して付加情報を提供する付加情報提供手段とを備えることを特徴とするディジタル放送用受信装置である。
また、第９の関連発明は、前記特定の時間帯を示す蓄積可能時間帯情報を、前記番組の番組データに多重化して送信することを特徴とする第７の関連発明のディジタル放送用送信装置である。
また、第１０の関連発明は、前記多重化データは、前記特定の時間帯を示す蓄積可能時間帯情報を前記番組の番組データに多重化したものを含んでおり、
前記蓄積可能時間帯情報にしたがって、前記特定の時間帯を前記視聴者に通知する蓄積可能時間帯通知手段を備えることを特徴とする第８の関連発明のディジタル放送用受信装置である。
また、第１１の関連発明は、前記番組固有情報の蓄積状態を照会するのに用いる蓄積状態照会用データを、前記番組の番組データに多重化して送信することを特徴とする第７または９の関連発明のディジタル放送用送信装置である。
また、第１２の関連発明は、前記多重化データは、前記番組固有情報の蓄積状態を照会するのに用いる蓄積状態照会用データを前記番組の番組データに多重化したものを含んでおり、
前記付加情報提供手段は、前記番組固有情報の蓄積状態が前記蓄積状態照会用データに対応するものである場合に、前記視聴者に対して前記付加情報を提供することを特徴とする第８または１０の関連発明のディジタル放送用受信装置である。
また、第１３の関連発明は、前記番組固有情報の蓄積状態の判定条件である蓄積状態判定用データを、前記番組の番組データに多重化して送信することを特徴とする第７または９の関連発明のディジタル放送用送信装置である。
また、第１４の関連発明は、前記多重化データは、前記番組固有情報の蓄積状態の判定条件である蓄積状態判定用データを前記番組の番組データに多重化したものを含んでおり、
前記付加情報提供手段は、前記蓄積状態判定用データにしたがって、前記番組固有情報の蓄積状態を判定し、判定結果にしたがって、前記視聴者に提供する前記付加情報を決定することを特徴とする第８または１０の関連発明のディジタル放送用受信装置である。
また、第１５の関連発明は、前記番組固有情報を、前記番組より後に放映される別の番組の番組データにも多重化して送信し、
前記蓄積状態照会用データまたは前記蓄積状態判定用データとともに、前記蓄積状態照会用データまたは前記蓄積状態判定用データに関連する前記番組固有情報が多重化されて送信される前記別の番組を前記番組固有情報に対応づけて示す番組固有情報取得先データを、前記番組の番組データに多重化して送信することを特徴とする第１１または１３の関連発明のディジタル放送用送信装置である。
また、第１６の関連発明は、前記番組固有情報は、前記番組より後に放映される別の番組の番組データにも多重化されて送信されてくるものであり、
前記多重化データは、前記蓄積状態照会用データまたは前記蓄積状態判定用データとともに、前記蓄積状態照会用データまたは前記蓄積状態判定用データに関連する前記番組固有情報が多重化されて送信される前記別の番組を前記番組固有情報に対応づけて示す番組固有情報取得先データを、前記番組の番組データに多重化したものを含んでおり、
前記蓄積状態照会用データまたは前記蓄積状態判定用データに対応する前記番組固有情報のうち、蓄積されていないものがある場合は、前記蓄積されていない番組固有情報が多重化されて送信された前記別の番組を前記視聴者に通知する別番組通知手段を備え、
前記番組固有情報蓄積手段は、前記別の番組に対応する前記特定の時間帯に前記視聴確認信号の入力を受け付けた場合に、それに対応する前記蓄積されていない番組固有情報を蓄積し、
前記付加情報提供手段は、
前記番組固有情報の新たな蓄積状態が、前記蓄積状態照会用データに対応するものになると、前記視聴者に対して前記付加情報を提供する、
または、
前記番組固有情報の新たな蓄積状態を、前記蓄積状態判定用データにしたがって判定し、判定結果にしたがって、前記視聴者に提供する前記付加情報を新たに決定することを特徴とする第１２または１４の関連発明のディジタル放送用受信装置である。
また、第１７の関連発明は、前記番組に関連する付加情報を、前記番組の番組データに多重化して送信し、
前記付加情報は、前記視聴者の視聴履歴に応じて、利用できるものであることを特徴とする第７、９、１１、１３または１５の関連発明のディジタル放送用送信装置である。
また、第１８の関連発明は、前記付加情報は、前記ディジタル放送用送信装置によって、前記番組の番組データに多重化されて送信されることを特徴とする第８、１０、１２、１４または１６の関連発明のディジタル放送用受信装置である。
また、第１９の関連発明は、第１〜１８の関連発明のいずれかの、ディジタル放送用視聴認識方法の各工程、ディジタル放送用送信装置の各手段の機能、または、ディジタル放送用受信装置の各手段の機能、の全部または一部をコンピュータに実行させるプログラムを格納することを特徴とする記録媒体である。
【００１０】
【発明の実施の形態】
以下、本発明の実施の形態について図面を参照しながら説明する。
【００１１】
（第１の実施の形態）
図１は、本発明の第１の実施の形態におけるディジタル放送用送信装置のシステム構成図である。図１において、１は放送信号に対して圧縮などを含めた適切な符号化処理を行う放送信号符号化部、２は放送信号符号化部１の符号化に同期して番組に固有の情報（番組固有情報）が記述された番組固有情報記述子を符号化する記述子１符号化部、３は放送信号符号化部１の符号化に同期して前記番組固有情報を蓄積可能とする時間（本発明の特定の時間帯に対応）に関する情報（本発明の蓄積可能時間帯情報に対応）が記述された蓄積可能時間記述子を符号化する記述子２符号化部、４は放送信号符号化部１の符号化に同期して蓄積された番組固有情報の蓄積状態を照会するのに用いるデータ（本発明の蓄積状態照会用データに対応）が記述された蓄積状態照会用データ記述子を符号化する記述子３符号化部、５は番組に関連した付加情報を符号化する付加情報符号化部、６は符号化された放送信号、記述子、付加情報の多重化処理を行う多重化部、７は多重化された信号に対してチャネルコーデックや変調などを行う送信部、８は所定の高い周波数に変調するアップコンバータ、９は送信アンテナである。
【００１２】
以上のようなシステム構成の本実施の形態におけるディジタル放送用送信装置のハードウェア構成を、図２に示す。図２に示すように、本実施の形態におけるディジタル放送用送信装置のハードウェア構成は、基本的に汎用の計算機システムのハードウェア構成と同じである。また、図１に示したシステムの構成部分と同一の構成部分を含んでいるため、同一構成部分には同一番号を付して説明を省略する。図２において、１０２はプログラムを記憶する揮発性メモリからなる主記憶装置、１０３はプログラムやデータを記憶する不揮発性メモリからなる補助記憶装置、１０１は主記憶装置１０２に記憶されているプログラムを実行するＣＰＵである。補助記憶装置１０３に記憶されているプログラムは、主記憶装置１０２にロードされた後ＣＰＵ１０１により実行される。
【００１３】
次に、本発明の第１の実施の形態におけるディジタル放送用受信装置のシステム構成を、図３に示す。図３において、１０は受信アンテナ、１１は受信した衛星波を所定の低い周波数に変調するダウンコンバータ、１２はディジタル放送受信用チューナ、１３はチューナ１２により選局された信号を映像データ、音声データからなる番組データ、番組固有情報記述子、蓄積可能時間記述子、蓄積状態照会用データ記述子、付加情報に分離する分離部、１４は符号化された前記放送信号を復号化する放送信号復号化部、１５は符号化された前記番組固有情報記述子を復号化する記述子１復号化部、１６は符号化された前記蓄積可能時間記述子を復号化する記述子２復号化部、１７は符号化された前記蓄積状態照会用データ記述子を復号化する記述子３復号化部、１８は符号化された番組関連の付加情報を復号化してそれを一時記憶する付加情報復号化部、１９は復号化された蓄積可能時間に基づき蓄積可能状態をユーザ（本発明の視聴者に対応）に通知して入力（本発明の視聴確認信号の入力に対応）を受け付ける蓄積可能状態制御手段（本発明の蓄積可能時間通知手段の一部および視聴確認信号受付手段の一部に対応）、２０は蓄積可能状態制御手段１９からユーザに通知される情報を映像信号と合成する画像合成部、２１は復号化された番組固有情報を記憶する記述内容記憶部（本発明の番組固有情報蓄積手段に対応）、２２は復号化された蓄積状態照会用データに基づき番組固有情報の記述内容記憶部２１での記憶状態に基づき付加情報復号化部１８に一時的に記憶されている番組関連の付加情報を取り出す記述内容蓄積状態照会手段、２３は記述内容蓄積状態照会手段２２により取り出された番組関連の付加情報を記憶して、ユーザがそれを利用できるようにする付加情報記憶部、１０４はモニタ（本発明の蓄積可能時間通知手段の一部に対応）、１０５はスピーカである。なお、記述内容蓄積状態照会手段２２および付加情報記憶部２３の機能は、本発明の付加情報提供手段の機能に対応するものである。また、受信アンテナ１０、ダウンコンバータ１１、チューナ１２および分離部１３の機能は、本発明の受信手段の機能に対応するものである。
【００１４】
以上のようなシステム構成の本実施の形態におけるディジタル放送用受信装置のハードウェア構成を、図４に示す。図４に示すように、本実施の形態におけるディジタル放送用受信装置のハードウェア構成は、基本的に汎用の計算機システムのハードウェア構成と同じであり、また、図２および図３に示したハードウェアおよびシステムの構成部分と同一の構成部分を含んでいるため、同一構成部分には同一番号を付して説明を省略する。１０６は蓄積可能状態制御手段１９からの通知に対してユーザからの入力を受け付けるキーボードやマウスなどからなるユーザ入力部（本発明の視聴確認信号受付手段の一部に対応）である。
【００１５】
以上のように構成された、本実施の形態におけるディジタル放送用送信装置およびディジタル放送用受信装置の動作を送信装置、受信装置の順に説明する。これらの動作をより分かりやすく説明するために、ここでは、毎週放送される連続ドラマ１話１話に毎回異なる番組固有情報を多重化して送り、ユーザが毎週積極的にそれらの情報を蓄積した場合に、その蓄積状況を照会して、その番組に関連した付加情報が入手できるという例で説明する。例えば、従来からの視聴者サービスとして、番組主題歌のＣＤプレゼントのお知らせがある特定の放映回に流されたりするが、全放送をかかさず見たユーザにのみ、放送信号に多重化されて送信された、出演俳優の写真集やアルバムなどの特別プレゼントの宛先といった特別な番組関連付加情報を、蓄積して利用することが可能となる。以下、図６に示すような、N回の連続ドラマ（映像データV(i)、音声データA(i){i=1、2、3、...、N}）に 毎回異なる番組固有情報BI(i){i=1、2、3...、N}を多重化したデータを送受信する例で説明する。なお、動作の手順の説明においては、「・・・記述子の符号化／復号」を表す際には、「・・・の符号化／復号」と、「記述子」を省略して表現する。
【００１６】
まず、送信装置の動作を図５のフローチャートを用いて説明する。
【００１７】
[STEP1a]  映像および音声の符号化
放送信号符号化部１により、標準テレビ信号、ハイビジョン信号などの映像データV(i)と、これに関連した音声データA(i)からなる放送信号に対して圧縮などを含めた符号化処理を行う。
【００１８】
[STEP2a]  付加情報の符号化
付加情報符号化部５により、番組に関連した付加情報を[STEP1]と同様の方法で符号化する。符号化する付加情報としては、例えば、「特別なプレゼントの内容」、「応募の宛先」、および「合い言葉」などを符号化する。
【００１９】
[STEP3a]  番組固有情報の符号化
記述子１符号化部２により、番組固有情報BI(i)を[STEP1]と同様の方法で符号化する。例えば、BI(i)="番組タイトル＋放送回数"などとする。
【００２０】
[STEP4a]  蓄積可能時間の符号化
記述子２符号化部３により、番組固有情報BI(i)の蓄積可能時間T(i)を[STEP1]と同様の方法で符号化する。例えば、T(1)="From[21:12]To[21:17]"、T(2)="From[21:42]To[21:47]"などとする。このように毎回異なる時間を指定すれば、ユーザが番組を始めから終わりまで見ることが促進される。
【００２１】
[STEP5a]  放送が所定の回数であるかの判定
放送回数が所定の回数である場合[STEP6a]、それ以外は[STEP7a]に進む。所定の回数とは、例えば第１回目や最終回（第Ｎ回目）の放送をさす。
【００２２】
[STEP6a]  蓄積状態照会用データの符号化
記述子３符号化部４により、[STEP5a]で指定された特定の放送回数時に、番組固有情報の蓄積状態を照会するのに用いるデータを符号化する。例えば、第１回放送時には番組の放映回数を、最終回には固有情報のフォーマットなどを符号化する。
【００２３】
[STEP7a]  多重化
多重化部６により、[STEP1a]〜[STEP6a]で符号化された放送信号、記述子、および付加情報を多重化する。
【００２４】
[STEP8a]  デジタル変調
送信部７により、[STEP7a]で多重化された信号M(i)にチャネルコーデックや変調を行う。
【００２５】
[STEP9a]  送信
アップコンバータ８により、所定の周波数に変調し、送信アンテナ９より第ｉ回目の放送を送信する。
【００２６】
[STEP10a]  放送終了判定
i=Nならば処理を終了、それ以外は、i=i+1として[STEP1a]で次回の放送信号を符号化する。
【００２７】
以上、[STEP1a]〜[STEP10a]で説明した手順に基づく本実施の形態におけるディジタル放送用送信方法では、複数の関連した番組固有情報と、それらを蓄積できるタイミングをユーザに送信するため、受信側でそれらの情報を利用したさまざまなサービスが可能となる。
【００２８】
次に、受信装置の動作を、図７のフローチャートを用いて説明する。
【００２９】
[STEP1b]  ディジタル放送受信
受信アンテナ１０で受信した衛星波をダウンコンバータ１１で所定の周波数帯にダウンコンバートし、ディジタル放送用チューナ１２を経て、ディジタル復調器に供給して選局、復調処理を行う。
【００３０】
[STEP2b]  受信信号の分離
[STEP1b]で選局、復調されたディジタル放送信号を、分離部１３により、映像データV(i)と音声データA(i)からなる番組データ、番組固有情報記述子BI(i)、蓄積可能時間記述子T(i)、蓄積状態照会用データ記述子、および付加情報に分離する。
【００３１】
[STEP3b]  映像、音声データの復号、再生
分離部１３により分離された番組データを放送信号復号化部１４で復号化し、モニタ１０４およびスピーカ１０５により再生する。
【００３２】
[STEP4b]  付加情報の復号
分離部１３により分離された番組関連の付加情報を付加情報復号化部１８で復号化する。
【００３３】
[STEP5b]  蓄積状態照会用データの復号
分離部１３により分離された番組固有情報の蓄積状態を照会するのに用いるデータを記述子３復号化部１７で復号化する。例えば、第１回放送時(i=1)には番組の放映回数Nなどが、最終回(i=N)には番組固有情報のフォーマットなどが復号化され、これらの情報は記述内容蓄積状態照会手段２２に記憶される。
【００３４】
[STEP6b]  番組固有情報の有無
分離部１３により分離された番組固有情報を記述子１復号化部１５で復号化し、番組固有情報BI(i)がない場合は[STEP1b]へ、ある場合は[STEP7b]へ進む。
【００３５】
[STEP7b]  蓄積可能時間の有無
分離部１３により分離された番組固有情報の蓄積可能時間T(i)を記述子２復号化部１６で復号化し、蓄積可能時間T(i)に指定がない場合には[STEP10b]へ、指定がある場合には[STEP8b]へ進む。
【００３６】
[STEP8b]  蓄積可能状態の通知とユーザ入力受付
蓄積可能時間T(i)の間、蓄積可能状態制御手段１９および画像合成部２０により、番組固有情報BI(i)の蓄積が可能であることをモニタ１０４に表示させてユーザに知らせ、ユーザ入力部１０６のキーボードなどからの蓄積命令の入力（本発明の視聴確認信号の入力に対応）を受け付ける。この際、ユーザに通知するメッセージや図形は、画像合成部２０により、例えば映像信号にスーパーインポーズする形で、点滅やハイライトにより表示する。図６の例では、21時12分から21時17分までメッセージが表示され、この間ユーザからの蓄積命令を受け付ける。
【００３７】
[STEP9b]  ユーザ入力の有無
蓄積可能状態制御手段１９により、蓄積可能時間T(i)の間にユーザから入力があったか否かを判定する。ユーザから入力があった場合[STEP10b]へ、入力がなかった場合は[STEP1b]へ。
【００３８】
[STEP10b]  番組固有情報の蓄積
番組固有情報BI(i)を記述内容記憶部２１に蓄積する。すなわち、本実施の形態において番組固有情報を蓄積することは、本発明のディジタル放送用視聴認識方法の「視聴履歴を蓄積すること」に対応する。
【００３９】
[STEP11b]  放送期間終了判定
最終回(i=N）のとき[STEP12b]へ、それ以外は[STEP1b]へ。
【００４０】
[STEP12b]  番組情報の蓄積状況照会
記述内容蓄積状態照会手段２２により、[STEP5b]で最終回(i=N)のときに記憶した番組固有情報のフォーマットに対応する番組固有情報の組合せと、記述内容記憶部２１に蓄積されている番組固有情報の組合せとを照会して、一致しているか否かを判定する。番組固有情報の組合せが一致していると確認された場合には[STEP13b]へ、それ以外は処理を終了する。
【００４１】
[STEP13b]  付加情報の蓄積
付加情報記憶部２３に番組関連の付加情報をユーザが利用できる形で記憶させる。
【００４２】
以上、[STEP1b]〜[STEP13b]で説明した手順に基づく、本実施の形態におけるディジタル放送用視聴認識方法では、複数の関連した番組固有情報を蓄積できるタイミングをユーザに送信するため、ユーザが積極的に番組を見て情報を全て収集した場合にのみ、番組関連付加情報を提供することができる。
【００４３】
以上、本実施の形態では、送信側では、複数の関連した番組固有情報と、それらを蓄積できるタイミングをユーザに送信し、受信側では、ユーザが連続ドラマなど一組の番組をすべて視聴し、なおかつ積極的に番組固有情報を全て蓄積した場合にのみ、例えば、特別なプレゼント情報を取得できるといったサービスが実現できる。
【００４４】
すなわち、本実施の形態によれば、連続ドラマをすべてかかさず見ているようなユーザにのみ、放送信号に多重化されて送信された、出演俳優の写真集やアルバムなどの特別プレゼントの宛先といった特別な番組関連付加情報を、取得できるようなサービスを実現できる。
【００４５】
（第２の実施の形態）
次に、本発明の第２の実施の形態を図面を参照して説明する。第１の実施の形態では、ユーザが番組をすべて視聴し、番組固有情報をすべて蓄積した場合に、所定の付加情報を蓄積する例を説明したが、第２の実施の形態は、番組固有情報の蓄積状態に応じて、ユーザが取得できる付加情報を可変にするように考慮したものである。なお、本実施の形態において、特に説明のないものについては、第１の実施の形態と同じとし、第１の実施の形態と同一符号を付与している構成部材については、特に説明のない限り、第１の実施の形態と同様の機能を持つものとする。
【００４６】
図８は、本発明の第２の実施の形態におけるディジタル放送用送信装置のシステム構成図である。本実施の形態におけるディジタル放送用送信装置と第１の実施の形態におけるディジタル放送用送信装置との相違点は、記述子３符号化部４を、蓄積状態を判定するのに用いるデータ（本発明の蓄積状態判定用データに対応）が記述された蓄積状態判定用データ記述子を符号化する記述子４符号化部２４で置き換えたことである。なお、本実施の形態におけるディジタル放送用送信装置のハードウェア構成は、図２に示した第１の実施の形態におけるディジタル放送用送信装置のハードウェア構成と同じである。
【００４７】
図９は、本発明の第２の実施の形態におけるディジタル放送用受信装置のシステム構成図である。本実施の形態におけるディジタル放送用受信装置と第１の実施の形態におけるディジタル放送用受信装置との相違点は、記述子３復号化部１７を、前記蓄積状態判定用データ記述子を復号化する記述子４復号化部２５で置き換え、記述内容蓄積状態照会手段２２を、記述内容の蓄積パターンを判定する記述内容蓄積状態判定手段２６で置き換え、さらに、記述内容蓄積状態判定手段２６の判定結果に応じて、付加情報復号化部１８に一時的に記憶されている番組関連の複数の付加情報のうちのいくつかを選択して取り出して、付加情報記憶部２３に記憶させる蓄積状態適応付加情報選択手段２７を付加したことである。なお、記述内容蓄積状態判定手段２６、付加情報記憶部２３および蓄積状態適応付加情報選択手段２７の機能は、本発明の付加情報提供手段の機能に対応するものである。また、本実施の形態におけるディジタル放送用受信装置のハードウェア構成は、図４に示した第１の実施の形態におけるディジタル放送用受信装置のハードウェア構成と同じである。
【００４８】
以上のように構成された、本実施の形態におけるディジタル放送用送信装置およびディジタル放送用受信装置の動作を送信装置、受信装置の順に説明する。なお、第１の実施の形態と同様に、動作の手順の説明においては、「・・・記述子の符号化／復号」を表す際には、「・・・の符号化／復号」と、「記述子」を省略して表現する。
【００４９】
まず、送信装置の動作を図１０のフローチャートを用いて説明する。ただし、第１の実施の形態における送信装置の動作を表す図５のフローチャートとの相違点である[STEP6c]についてのみ説明する。
【００５０】
[STEP6c]  蓄積状態判定用データの符号化
記述子４符号化部２４により、[STEP5c]で指定された特定の放送回数時に、番組固有情報の蓄積状態を判定するのに用いるデータを符号化する。ここでは、第１の実施の形態における送信装置の動作で説明した、第１回放送時における番組の放映回数や、最終回における固有情報のフォーマットに加え、番組固有情報の蓄積パターンを判定するルールなども合わせて符号化する。
【００５１】
次に、受信装置の動作を図１１のフローチャートを用いて説明する。ただし、第１の実施の形態における受信装置の動作を表す図７のフローチャートとの相違点である[STEP5c]、[STEP12d]、[STEP13d]についてのみ説明する。
【００５２】
[STEP5d]  蓄積状態判定用データの復号
分離部１３により分離された番組固有情報の蓄積状態を判定するのに用いるデータを記述子４復号化部２５で復号化する。例えば、第１回放送時(i=1)には番組の放映回数Ｎなどが、最終回(i=N)には番組固有情報のフォーマットおよび、番組固有情報蓄積パターンの判定用ルールなどが復号化され、これらの情報は記述内容蓄積状態判定手段２６に記憶される。
【００５３】
[STEP12d]  番組情報の蓄積パターンの判定
記述内容蓄積状態判定手段２６により、[STEP5d]で最終回(i=N)のときに記憶した番組固有情報のフォーマットにしたがって、記述内容記憶部２１に蓄積されている番組固有情報の蓄積パターンを判定する。ここで蓄積パターンとは、例えば、蓄積されている番組固有情報の数や、ある特定の番組固有情報が蓄積されているか否か、などである。
【００５４】
[STEP13d]  付加情報の選択蓄積
蓄積状態適応付加情報選択手段２７により、[STEP12d]で記述内容蓄積状態判定手段２６によって判定された蓄積パターンに対応する付加情報を選択して、付加情報記憶部２３にユーザが利用できる形で記憶させる。
【００５５】
以上、本実施の形態では、送信側では、複数の関連した番組固有情報と、それらを蓄積パターンを判定するルール等を送信するため、受信側では、ユーザが部分的に番組固有情報を蓄積できなかった場合にも、その頻度などに応じて、取得できる情報（例えばプレゼント情報）を可変にすることでよりきめ細かな情報サービスが実現できる。
【００５６】
（第３の実施の形態）
次に、本発明の第３の実施の形態を図面を参照して説明する。第２の実施の形態では、番組固有情報の蓄積パターンに応じて、ユーザが取得できる付加情報を可変にする例を説明したが、第３の実施の形態は、複数の番組固有情報の収集過程において、途中で蓄積し損じた番組固有情報がある場合に、例えば、同一放送局の異なる番組においてその情報が取得できるような付加情報を送信し、情報の収集を引き続き推進できるようを考慮したものである。なお、本実施の形態において、特に説明のないものについては、第２の実施の形態と同じとし、第２の実施の形態と同一符号を付与している構成部材については、特に説明のない限り、第２の実施の形態と同様の機能を持つものとする。
【００５７】
図１２は、本発明の第３の実施の形態におけるディジタル放送用送信装置のシステム構成図である。本実施の形態におけるディジタル放送用送信装置と第２の実施の形態におけるディジタル放送用送信装置との相違点は、同一の番組固有情報を提供している他の番組のリストである番組固有情報取得先データが記述された番組固有情報取得先データ記述子を符号化する記述子５符号化部２８付加したことである。なお、本実施の形態におけるディジタル放送用送信装置のハードウェア構成は、図２に示した第１の実施の形態におけるディジタル放送用送信装置のハードウェア構成と同じである。
【００５８】
図１３は、本発明の第３の実施の形態におけるディジタル放送用受信装置のシステム構成図である。本実施の形態におけるディジタル放送用受信装置と第２の実施の形態におけるディジタル放送用受信装置との相違点は、前記番組固有情報取得先データ記述子を復号化する記述子５復号化部２９、および前記番組固有情報取得先データをユーザが利用できる形で記憶する情報提供先記憶部３０を付加したことである。なお、情報提供先記憶部３０、画像合成部２０およびモニタ１０４の機能は、本発明の別番組通知手段の機能に対応するものである。また、本実施の形態におけるディジタル放送用受信装置のハードウェア構成は、図４に示した第１の実施の形態におけるディジタル放送用受信装置のハードウェア構成と同じである。
【００５９】
以上のように構成された、本実施の形態におけるディジタル放送用送信装置およびディジタル放送用受信装置の動作を送信装置、受信装置の順に説明する。なお、第１、第２の実施の形態と同様に、動作の手順の説明においては、「・・・記述子の符号化／復号」を表す際には、「・・・の符号化／復号」と、「記述子」を省略して表現する。
【００６０】
まず、送信装置の動作を図１４のフローチャートを用いて説明する。ただし、第２の実施の形態における送信装置の動作を表す図１０のフローチャートとの相違点である[STEP5e]についてのみ説明する。
【００６１】
[STEP5e]  番組固有情報取得先データの符号化
番組固有情報取得先データを記述子５符号化部２８で符号化する。
【００６２】
次に、受信装置の動作を図１５のフローチャートを用いて説明する。ただし、第２の実施の形態における受信装置の動作を表す図１１のフローチャートとの相違点である[STEP5f]、[STEP12f]、[STEP13f]についてのみ説明する。
【００６３】
[STEP5f]  番組固有情報取得先データの復号
分離部１３により分離された番組固有情報取得先データを記述子５復号化部２９で復号化する。番組固有情報取得先データは、例えば番組名と放映時間等からなる。例えば、仕事などで帰りが遅くなり通常見ている番組から番組固有情報を取得できなかったような場合に、次の番組が放送される深夜にこのような固有情報を提供すれば、深夜番組の視聴率のアップにつながる。
【００６４】
[STEP12f]  不足情報の判定
[STEP10f]で今回の番組固有情報を取得後、記述内容蓄積状態判定手段２６により、前回までの番組固有情報で不足するものがあるか否かを判定し、不足する番組固有情報があれば[STEP12f]へ、それ以外は[STEP13f]へ。
【００６５】
[STEP13f]  番組固有情報取得先データの蓄積、表示
情報提供先記憶部３０に記述子５復号化部２９に一時的に記憶されている番組固有情報取得先データを蓄積し、画像合成部２０をへて、ユーザに番組固有情報取得先データが蓄積されたことをモニタ１０４に表示する。ユーザはユーザ入力部のキーボードやマウスによる操作により、この番組固有情報取得先データをいつでもモニタ１０４に表示することができる。
【００６６】
なお、ユーザが番組固有情報取得先データから、不足している番組固有情報が多重化されて送信されてくる番組を視聴した場合の、本受信装置の動作手順についても、図１５に示したフローチャートと同様である。
【００６７】
以上、本実施の形態によれば、複数の番組固有情報の収集過程において、途中で蓄積し損じた番組固有情報がある場合に、同一放送局の異なる番組においてその情報が取得できるような番組固有情報取得先データを送信し、受信側では、固有情報の不足を判定して、前記番組固有情報取得先データをユーザに提供することにより、情報の収集を引き続き推進できる。
【００６８】
なお、本実施の形態におけるディジタル放送用送信装置は、第２の実施の形態におけるディジタル放送用送信装置に、記述子５符号化部２８を付加したものであり、本実施の形態におけるディジタル放送用受信装置は、第２の実施の形態におけるディジタル放送用受信装置に、記述子５復号化部２９および情報提供先記憶部３０を付加したものであるとしてもよい。
なお、本発明の付加情報は、上述した第１〜第３の実施の形態においては、ディジタル放送の番組データに多重化されて送信されるものとして説明したが、これに限るものではなく、記録媒体、電話回線等により送信されてくるものであるとしてもよい。また、本発明の蓄積可能時間帯情報、蓄積状態照会用データ、蓄積状態判定用データおよび番組固有情報取得先データも、本発明の付加情報と同様に、記録媒体、電話回線等により送信されてくるものであるとしてもよい。すなわち、少なくとも、本発明の番組固有情報が、ディジタル放送の番組データに多重化されて送信されるものであればよい。
【００６９】
また、上述した第１〜第３の実施の形態においては、本発明の特定の時間帯は、ディジタル放送の送信側において設定されるとして説明したが、これに限るものではなく、受信側において、視聴者に予め知られないように設定されるとしても、上述した各実施の形態と同様の効果が得られる。
【００７０】
また、上述した第１〜第３の実施の形態においては、本発明のディジタル放送用送信装置およびディジタル放送用受信装置を中心に説明したが、本発明のディジタル放送用視聴認識方法は、例えば、第１〜第３の実施の形態におけるディジタル放送用受信装置の動作手順に含まれるものである。ただし、本発明のディジタル放送用視聴認識方法は、上記動作手順に含まれるものに限定されるものではない。要するに、本発明のディジタル放送用視聴認識方法は、ディジタル放送の放映中の特定の時間帯に、視聴者による視聴確認信号の入力があったときに、前記視聴者が視聴していることを認識する方法でありさえすればよい。
【００７１】
また、上述した第１〜第３の実施の形態においては、本発明のディジタル放送用送信装置およびディジタル放送用受信装置を中心に説明したが、本発明の記録媒体としては、以上説明した各工程および各手段の機能の全部または一部をコンピュータに実行させるプログラムを格納する記録媒体が挙げられる。
【００７２】
【発明の効果】
以上説明したところから明らかなように、本発明は、視聴者の視聴状況を効率的に認識できるディジタル放送用受信装置、及びディジタル放送用送受信システムを提供することができる。
【００７３】
また、本発明は、視聴者の番組の視聴履歴にしたがって、視聴者に提供する付加情報を選定できるディジタル放送用受信装置、及びディジタル放送用送受信システムを提供することができる。
【図面の簡単な説明】
【図１】本発明の第１の実施の形態におけるディジタル放送用送信装置のシステム構成図である。
【図２】本発明の第１の実施の形態におけるディジタル放送用送信装置のハードウェア構成図である。
【図３】本発明の第１の実施の形態におけるディジタル放送用受信装置のシステム構成図である。
【図４】本発明の第１の実施の形態におけるディジタル放送用受信装置のハードウェア構成図である。
【図５】本発明の第１の実施の形態におけるディジタル放送用送信装置の動作手順を示すフローチャートである。
【図６】本発明の第１の実施の形態における送信データの構成例を示す図である。
【図７】本発明の第１の実施の形態におけるディジタル放送用受信装置の動作手順を示すフローチャートである。
【図８】本発明の第２の実施の形態におけるディジタル放送用送信装置のシステム構成図である。
【図９】本発明の第２の実施の形態におけるディジタル放送用受信装置のシステム構成図である。
【図１０】本発明の第２の実施の形態におけるディジタル放送用送信装置の動作手順を示すフローチャートである。
【図１１】本発明の第２の実施の形態におけるディジタル放送用受信装置の動作手順を示すフローチャートである。
【図１２】本発明の第３の実施の形態におけるディジタル放送用送信装置のシステム構成図である。
【図１３】本発明の第３の実施の形態におけるディジタル放送用受信装置のシステム構成図である。
【図１４】本発明の第３の実施の形態におけるディジタル放送用送信装置の動作手順を示すフローチャートである。
【図１５】本発明の第３の実施の形態におけるディジタル放送用受信装置の動作手順を示すフローチャートである。
【符号の説明】
１  放送信号符号化部
２  記述子１符号化部
３  記述子２符号化部
４  記述子３符号化部
５  付加情報符号化部
６  多重化部
７  送信部
８  アップコンバータ
９  送信アンテナ
１０  受信アンテナ
１１  ダウンコンバータ
１２  チューナ
１３  分離部
１４  放送信号復号化部
１５  記述子１復号化部
１６  記述子２復号化部
１７  記述子３復号化部
１８  付加情報符号化部
１９  蓄積可能状態制御手段
２０  画像合成部
２１  記述内容記憶部
２２  記述内容蓄積状態照会手段
２３  付加情報記憶部
２４  記述子４符号化部
２５  記述子４復号化部
２６  記述内容蓄積状判定手段
２７  蓄積状態適応付加情報選択手段
２８  記述子５符号化部
２９  記述子５復号化部
３０  情報提供先記憶部
１０１  ＣＰＵ
１０２  主記憶装置
１０３  補助記憶装置
１０４  モニタ
１０５  スピーカ
１０６  ユーザ入力部
【図１】
0004205232.tif 000002
【図２】
0004205232.tif 000003
【図３】
0004205232.tif 000004
【図４】
0004205232.tif 000005
【図５】
0004205232.tif 000006
【図６】
0004205232.tif 000007
【図７】
0004205232.tif 000008
【図８】
0004205232.tif 000009
【図９】
0004205232.tif 000010
【図１０】
0004205232.tif 000011
【図１１】
0004205232.tif 000012
【図１２】
0004205232.tif 000013
【図１３】
0004205232.tif 000014
【図１４】
0004205232.tif 000015
【図１５】
0004205232.tif 000016